(57)【要約】【課題】センサーの出力から最小焦点面積の反射光を検出する光記憶システムのフォーカス制御を改善する方法およびそれを実施する光記憶システムを提供する。【解決手段】光ディスクの読み出し表面から反射された光線を検出し、中心点を有する焦点の反射光によりフォーカスエラー信号を出力するセンサーと、焦点を複数個の領域に分割する手段と、複数個の領域間の関係により調整信号を発生させ、焦点の中心点および求めたい中心点間の変量を決定する手段と、フォーカスエラー信号に調整信号を組み合わせて、フォーカスエラー調整信号を得る手段と、フォーカスエラー調整信号を受信するとともに、センサーに接続されて、センサーの位置を修正するコントローラーとから構成される。【選択図】　　　　図７
2004047058.tif 000002
【特許請求の範囲】
【請求項１】
光線が一表面からレンズへ反射されるものであって、
焦点形式で反射光を受信するとともに、前記焦点が中心点を有するステップと、
前記焦点を複数個の領域に分けるステップと、
前記した複数個の領域関係により調整信号を発生させるとともに、焦点中心点および求めたい中心点間の変量を決定するステップと、
フォーカスエラー信号に前記調整信号を組み合わせて、フォーカスエラー調整信号を得るステップと、
前記フォーカスエラー調整信号を利用してセンサーの位置を制御するステップと
を具備する光記憶システムのフォーカス制御を改善する方法。
【請求項２】
上記焦点を４扇形に分割し、前記した複数個の扇形領域をＡ，Ｂ，Ｃ，Ｄで表示するものである請求項１記載の光記憶システムのフォーカス制御を改善する方法。
【請求項３】
上記焦点の反射シフト面積により上記調整信号を決定するものである請求項１または２記載の光記憶システムのフォーカス制御を改善する方法。
【請求項４】
さらに、上記焦点を利用して３つの入力信号（Ａ＋Ｂ＋Ｃ＋Ｄ），（Ａ＋Ｂ）−（Ｃ＋Ｄ），（Ａ＋Ｄ）−（Ｂ＋Ｃ）を発生させるものである請求項２記載の光記憶システムのフォーカス制御を改善する方法。
【請求項５】
上記調整信号が、下記の数式
【数１】
2004047058.tif 000010
を計算して得られるものである請求項２記載の光記憶システムのフォーカス制御を改善する方法。
【請求項６】
光ディスクの読み出し表面から反射された光線を検出し、中心点を有する焦点の反射光によりフォーカスエラー信号を出力するセンサーと、
前記焦点を複数個の領域に分割する手段と、
前記した複数個の領域間の関係により調整信号を発生させ、前記焦点の中心点および求めたい中心点間の変量を決定する手段と、
前記フォーカスエラー信号に調整信号を組み合わせて、フォーカスエラー調整信号を得る手段と、
前記フォーカスエラー調整信号を受信するとともに、前記センサーに接続されて、前記センサーの位置を修正するコントローラーと、
を具備する光記憶システム。
【請求項７】
さらに、増幅器を有し、前記増幅器が上記センサーの出力端に接続されるものである請求項６記載の光記憶システム。
【請求項８】
さらに、ピックアップヘッドを備え、前記ピックアップヘッドが上記センサーを含んで、上記コントローラーにより前記センサーに接続され、前記センサーの位置を修正するものである請求項６記載の光記憶システム。
【請求項９】
上記調整信号を発生させる上記手段が、
複数個の入力端を有して、分割手段から第１および第２信号を受信するとともに、出力信号を発生させる乗算器と、
複数個の入力端を有して、前記乗算器の出力信号ならびに前記分割手段が出力する第３信号を受信するとともに、出力信号を発生させる除算器と、
前記除算器の出力信号を受信するとともに、前記調整信号を発生させ、かつ前記調整信号を出力するコレクターと、
を具備するものである請求項６記載の光記憶システム。
【請求項１０】
上記複数個の領域が、扇形を含み、前記した複数個の扇形領域をＡ，Ｂ，Ｃ，Ｄで表示して、それぞれ（Ａ＋Ｂ＋Ｃ＋Ｄ），（Ａ＋Ｂ）−（Ｃ＋Ｄ），（Ａ＋Ｄ）−（Ｂ＋Ｃ）により第１、第２、第３信号を表すものである請求項６または９記載の光記憶システム。
【請求項１１】
上記調整信号が、下記の数式
【数２】
2004047058.tif 000011
を計算して得られるものである請求項６記載の光記憶システム。
【請求項１２】
上記第１、第２、第３信号が、異なる等価面積を含むものである請求項１０記載の光記憶システム。
【発明の詳細な説明】
【０００１】
【発明の属する技術分野】
この発明は、光記憶システムのファーカス制御を改善する方法およびそれを実施する光記憶システムに関する。
【０００２】
【従来の技術】
市場にマルチメディア製品が出現するにつれて、ＣＤ，ＤＶＤおよびその他の光学媒体を走査することのできる光記憶システムが、非常に普及したものとなっている。図１に示したものは、光ディスクドライブ１０（例えばＣＤドライブ）の一般的な構成要素である。レーザーダイオード１２がレーザービームを発射し、ハーフミラー１４によりこのレーザービームをレンズ１６に導く。次に、レーザービームが光ディスク２０の表面を照射するが、光ディスク２０の表面には読み出しデータが含まれている。レーザービームが光ディスク２０の表面からレンズ１６に反射された後、ハーフミラー１４および焦点を検出するための非点収差を発生する半円柱形レンズ（図示せず）を経てから、レーザービームがセンサー２２に入射され、センサー２２がこのレーザービームを検出する。
【０００３】
図１に示した光学経路方式において、センサー２２が検出する反射光は、完全な円形（図２を参照）となるか、楕円形（図３および図４を参照）となる。例えば、反射光が完全な形で光学経路を通過すれば、すなわちレンズ１６と光ディスク２０の読み出し表面１８との距離が理想距離にあれば、センサー２２が検出する反射光は図２に示すような円形となり、かつ、この円形を４つの扇形Ａ，Ｂ，Ｃ，Ｄに分ければ、４領域の面積がいずれも等しいものとなる。言い換えれば、図２に示した焦点面積にはＡ＋Ｃ＝Ｂ＋Ｄという関係が存在する。また、レンズ１６と読み出し表面１８との距離が理想距離よりも近ければ、センサー２２が検出する反射光は、例えば図３に示すような楕円形となり、その焦点面積にはＡ＋Ｃ＜Ｂ＋Ｄという関係が存在する。同様に、レンズ１６と読み出し表面１８との距離が理想距離よりも遠ければ、センサー２２が検出する反射光は、例えば図４に示すような楕円形となり、その焦点面積にはＡ＋Ｃ＞Ｂ＋Ｄという関係が存在する。従って、図３および図４に示したように、焦点が４つの扇形領域においてシフトあるいは変形を発生させるものとなる。
【０００４】
多くの要素により、センサー２２は図３および図４に示したような不完全な楕円形焦点を検出するものとなる。例えば、光ディスク２０の読み出し表面１８が熱変形（ｔｈｅｒｍａｌｌｙ　ｄｅｆｏｒｍｅｄ）したり、またはセンサー２２に対して光ディスク２０の搭載角度に傾斜が生じたりした場合である。その結果、光ディスク２０のデータを読み出す時、レンズ１６と読み出し表面１８との間の距離を補正することによって初めて正確なデータ読み出しを保証することができるとともに、焦点面積を最小にまで縮小することができるものとなる。
【０００５】
このような目的を達成するために、読み出し表面１８上の焦点面積を最小面積に保持しなければならず、読み出し表面１８上の焦点面積が小さければ小さい程、データを正確に読み出すことができるとともに、読み出したいデータスポット周辺のデータが読み出したいデータ中に進入または混入しないことを保証できるものとなる。ここで、焦点が読み出したいデータを表すものとなるから、最小の焦点によりデータをより正確に転送できるものとなる。図１のシステムにおいて、レンズ１６により光線を集光することで、光線が読み出し表面１８上で最小の焦点を形成するものとなる。
【０００６】
図５に示したものは、フォーカスエラー（ＦＥ＝ｆｏｃｕｓ　ｅｒｒｏｒ）信号のＳ曲線であり、フォーカス制御（ｆｏｃｕｓ　ｃｏｎｔｒｏｌ）に用いることができるものである。Ｓ曲線は、１つの産業標準であり、多くのメーカーがこの標準を使用して自らの光記憶システムのフォーカス制御方法を構築している。図５のＳ曲線は、レンズ１６と読み出し表面１８との間の関連物理距離ｘを表している。ここで、図５のＦＥ信号の中心の数値はＦＥ＝０であり、これが表す状況は例えば図２に示した電気的または初期設定における理想状況である。Ｓ曲線上の任意の位置にスポットを調整するように設計することができるが、一般的には、調整スポットをＦＥ＝０に設定している。ＦＥは１つの電圧値であるから、メーカーは、フォーカス手段を起動させて高周波信号（ＲＦ　ｓｉｇｎａｌ）の交流振幅（ＡＣ　ａｍｐｌｉｔｕｄｅ）を観察し、反射信号を変換したパワーに変更することができる。従って、図５において、ＦＥ値を正方向（例えばＳ曲線の右側）へ平行移動または負方向（例えばＳ曲線の左側）へ平行移動させて、距離ｘを変更することができる。周知の焦点脱離手続（ｄｅｆｏｃｕｓ　ｐｒｏｃｅｄｕｒｅ）によって、ＦＥ＝０からＳ曲線上で表すことができる任意の物理距離によりフォーカス制御を変更することができ、これによりＳ曲線上の異なる点で対応する点の高周波パワーを決定することができるので、最大パワーポイント（ｐｏｉｎｔ　ＭＡＸ）を決定することができる。ここで、最大パワーポイントは、センサー２２が受信できるエネルギー最大ポイントである。例えば、センサー２２が反射光の最大信号エネルギーを受信できれば、最小の焦点面積を実現することができる。焦点脱離手続において、距離ｘ間（例えば図５のＦＥ−ＦＥ’）の異なる点が１つのΔＦＥ値を表すが、このΔＦＥ値を使用して最大信号エネルギーを探し出すことができる。
【０００７】
【発明が解決しようとする課題】
しかしながら、いくつかの応用（例えばＣＤ−ＲまたはＣＤ−ＲＷの書き込み過程）では、例えば、簡単な方式で事前に光ディスク反射面の部分的な変形や、書き込み過程でディスク表面に発生する一時的な熱変形を検出することができなかったため、焦点脱離手続を使用することができなかった。従って、光記憶システムのフォーカス制御を改善する方法およびそれを実施する光記憶システムが必要とされており、任意の技術領域に応用できるものが必要とされていた。
【０００８】
そこで、この発明の第１の目的は、光記憶システムのフォーカス制御を改善する方法およびそれを実施する光記憶システムを提供することにある。この発明の第２の目的は、センサーが検出する反射光に基づいて最小焦点面積のスポットを形成できる光記憶システムのフォーカス制御を改善する方法およびそれを実施する光記憶システムを提供することにある。
【０００９】
【課題を解決するための手段】
上記課題を解決し、所望の目的を達成するために、この発明にかかる光記憶システムのフォーカス制御を改善する方法は、光線が一表面からレンズへ反射されるものであって、焦点形式で反射光を受信するとともに、焦点が中心点を有するステップと、焦点を複数個の領域に分けるステップと、複数個の領域関係により調整信号を発生させるとともに、焦点中心点および求めたい中心点間の変量を決定するステップと、フォーカスエラー信号に調整信号を組み合わせて、フォーカスエラー調整信号を得るステップと、フォーカスエラー調整信号を利用してセンサーの位置を制御するステップとから構成され、その方法を実施する光記憶システムは、光ディスクの読み出し表面から反射された光線を検出し、中心点を有する焦点の反射光によりフォーカスエラー信号を出力するセンサーと、焦点を複数個の領域に分割する手段と、複数個の領域間の関係により調整信号を発生させ、焦点の中心点および求めたい中心点間の変量を決定する手段と、フォーカスエラー信号に調整信号を組み合わせて、フォーカスエラー調整信号を得る手段と、フォーカスエラー調整信号を受信するとともに、センサーに接続されて、センサーの位置を修正するコントローラーとから構成される。
【００１０】
【作用】
この発明は、光記憶システムのフォーカス制御を改善する方法およびそれを実施する光記憶システムを提供するものであって、利用においてＣＤドライブ（例えばＣＤ−ＲまたはＣＤ−ＲＷドライブ）、ＤＶＤドライブ、ＣＤ−ＲＯＭＳ、ＤＶＤ−ＲＡＭＳおよびその他の公知の光ドライブに限定されるものではない。この発明は、反射光の焦点（おそらく楕円形状）のシフト中心を検出することにより、フォーカスエラーＦＥを補正（例えば調整）するものである。そして、図５のＳ曲線によりシフト値を計算して焦点の中心を調整し、光ディスク２０の読み出し表面１８上から最小焦点面積のものを得ることを実現するものである。特に、この発明は、ΔＦＥを計算し、そのΔＦＥを使用して元のＦＥを調整あるいは修正し、フォーカスエラー調整信号ＦＥ’を得るものである。光記憶システムのコントローラーにより、このフォーカスエラー調整信号ＦＥ’をセンサー位置の修正に応用して、新しく、かつ正確なＦＥ信号を得るものである。
【００１１】
この発明は、従来技術の焦点脱離手続とは異なる方法でΔＦＥ値を計算するものである。この発明は、焦点の４つのセンサーＡ，Ｂ，Ｃ，Ｄ領域中の４つの焦点扇形の面積関係を分析するものである。この面積関係によりΔＦＥの近似値を決定する。
【００１２】
【発明の実施の形態】
以下、この発明にかかる好適な実施の形態を図面に基づいて説明する。
まず、この発明においては、図２と図３と図４とからファーカスエラーＦＥを下記の（１）式のように定義する。
【００１３】
【数３】
2004047058.tif 000003
【００１４】
式中、Ａ，Ｂ，Ｃ，Ｄは、センサーが検出して出力する４つの方形領域における焦点の４扇形、つまりＡ，Ｂ，Ｃ，Ｄという４領域に対応する各焦点の有効面積を示す。従って、図２の場合には、Ａ＝Ｂ＝Ｃ＝Ｄであるので、ＦＥは０（ゼロ）に等しく、かつ焦点の中心が４つのセンサーＡ，Ｂ，Ｃ，Ｄの中心となる。別な角度から見ると、Ａ＋Ｂ＝Ｃ＋Ｄ，Ａ＋Ｄ＝Ｂ＋Ｃとも表すことができる。しかし、理想的な状況を除いて、焦点の中心は、４つのセンサーＡ，Ｂ，Ｃ，Ｄの中心からシフトしたものとなる。さらに、分析を進めるために、例えば図６に示すように、２本の点線軸線Ｖ′，Ｈ′をＡ，Ｂ，Ｃ，Ｄという４つのセンサーの分割軸線として焦点の中心に対する鏡像としているので、Ｖ，Ｖ′，Ｈ，Ｈ′という４本の軸線に対応して、Ａ′，Ｂ′，Ｃ′，Ｄ′と２つのｐと２つのｑとｒという合計９個のバーチャルなセンサーならびにその出力を区分することができ、図示の状態において、Ａ＝Ａ′＋ｐ＋ｑ＋ｒ、Ｂ＝Ｂ′＋ｑ、Ｃ＝Ｃ′、Ｄ＝Ｄ′＋ｐという関係を満たすものとなる。従って、扇形Ａ，Ｃの面積の総和は、下記の（２）式となる。
【００１５】
【数４】
2004047058.tif 000004
【００１６】
同様に、焦点は扇形Ｂの総面積つまり扇形Ｂ内のＢ’とｑとの２つの面積の組み合わせであるとともに、焦点は扇形Ｄの総面積つまり扇形Ｄ内のＤ’とｐとの２つの面積の組み合わせであるから、扇形Ｂ、Ｄの面積の総和は、下記の（３）式となる。
【００１７】
【数５】
2004047058.tif 000005
【００１８】
ＦＥ＝（Ａ＋Ｃ）−（Ｂ＋Ｄ）であるから、上記（２）式，（３）式に（Ａ＋Ｃ）と（Ｂ＋Ｄ）とを代入すれば、（Ａ＋Ｃ）−（Ｂ＋Ｄ）＝（Ａ’＋Ｃ’）−（Ｂ’＋Ｄ’）＋ｒを得る。（Ａ’＋Ｃ’）＝（Ｂ’＋Ｄ’）なので、下記の（４）式となる。式中、ａ，ｂは、図６に示した通りである。
【００１９】
【数６】
2004047058.tif 000006
【００２０】
領域ｒは、実際の焦点の反射シフト面積（図６の焦点に示す通り）を表している。その結果、ａとｂとの寸法が分かれば、ΔＦＥ（例えばｒ）を決定することができる。例えば、焦点が半径１の円であり、かつｐ，ｑが長方形（長辺長さをλとする）に類似したものとすれば、下記の（５）式，（６）式となる。
【００２１】
【数７】
2004047058.tif 000007
【００２２】
【数８】
2004047058.tif 000008
【００２３】
（６）式を（５）式で割れば、２ａ／π＝｛（Ａ＋Ｂ）−（Ｃ＋Ｄ）｝／｛（Ａ＋Ｂ＋Ｃ＋Ｄ）｝となり、演算により、ａ＝｛（Ａ＋Ｂ）−（Ｃ＋Ｄ）｝／（Ａ＋Ｂ＋Ｃ＋Ｄ）・π／２となり、同様な演算により、ｂ＝｛（Ａ＋Ｄ）−（Ｂ＋Ｃ）｝／（Ａ＋Ｂ＋Ｃ＋Ｄ）・π／２となるので、ΔＦＥ＝（ａｂ／π）（Ａ＋Ｂ＋Ｃ＋Ｄ）あるいは下記の（７）式となる。
【００２４】
【数９】
2004047058.tif 000009
【００２５】
言い換えれば、ａｂと円全体（例えば焦点）とには、１つの比率が存在する。従って、ΔＦＥを使用することにより元のＦＥを修正して、１つのフォーカスエラー調整信号ＦＥ’を得ることができる。
【００２６】
この実施例においては、１つのパラメーターｋによりシステムの変更を調整する必要があるので、以下において、必要に応じて、パラメーターｋについて説明する。
【００２７】
図７（ｂ）において、エラー調整回路２４の構造により（７）式を実現することができ、図７（ｂ）のエラー調整回路２４は、ハードウェア、ソフトウェアあるいはファームウェア（ｆｉｒｍｗａｒｅ）の形式で実現することができる。図７（ａ）の実施例は、光記憶システムにおいてハードウェアまたはファームウェアの形式で図７（ｂ）の構造を実現したものである。
【００２８】
図７（ａ）において、光記憶システムは、コントローラー２６を備え、コントローラー２６の出力端がピックアップヘッド２８に接続され、かつピックアップヘッド２８の位置を制御するものとなっているが、コントローラー２６は、台湾の華邦電子公司（Ｗｉｎｂｏｎｄ　Ｅｌｅｃｔｒｏｎｉｃｓ　Ｃｏｒｐ．）が生産販売するＷ８８６９４とすることができる。つまり、コントローラー２６は、ピックアップヘッド２８の位置を制御することができる。ピックアップヘッド２８は、センサー２２（センサー２２は従来技術にかかる多くのセンサー素子から製造することができる）とレンズ１６とを備えている。センサー２２が光ディスク２０の読み出し表面１８からの反射光を検知し、かつ信号方式で反射光を出力するが、この信号をＡ，Ｂ，Ｃ，Ｄで表すことができる。図６に示した焦点例のように、信号ＡがＡ’，ｐ，ｑ，ｒを表すことができ、信号ＢがＢ’，ｑを表すことができ、信号ＣがＣ’を表すことができ、信号ＤがＤ’，ｐを表すことができる。信号Ａ，Ｂ，Ｃ，Ｄがロジック回路３０（ロジック回路３０は１つのアナログ回路または多数のアナログ／デジタル回路とすることができる）に入力され、かつ高周波（ＲＦ）増幅器３２に入力される。高周波増幅器３２は、信号Ａ，Ｂ，Ｃ，Ｄを１つのＦＥ信号に変換するが、このＦＥ信号が加算器３６に入力され、かつ、このＦＥ信号を（１）式により導き出される信号とする。ロジック回路３０（分割手段）は、信号Ａ，Ｂ，Ｃ，Ｄを図７（ｂ）に示した３つの入力端に入力するが、この３つの入力端には、それぞれ第１信号（Ａ＋Ｂ＋Ｃ＋Ｄ）と、第２信号（Ａ＋Ｂ）−（Ｃ＋Ｄ）と、第３信号（Ａ＋Ｄ）−（Ｂ＋Ｃ）とが入力されるとともに、これらの入力信号がエラー調整回路２４へ出力される。エラー調整回路２４はΔＦＥを出力し、このΔＦＥは加算器３６へ入力されるので、ΔＦＥが調整信号となって、この調整信号によりＦＥ信号のＳ曲線を平行移動させることができる。加算器３６の出力端からフォーカスエラー調整信号ＦＥ’を出力するが、このフォーカスエラー調整信号ＦＥ’がコントローラー２６へフィードバックされる。コントローラー２６は、フォーカスエラー調整信号ＦＥ’を利用してピックアップヘッド２８の位置を変更し、閉鎖ループ制御システムを構成する。また、反射光がピックアップヘッド２８内部のセンサー２２により受信されるから、このシステムは反射光の最大信号エネルギーを獲得することができる。
【００２９】
図７（ａ）に示した回路において、ＦＥ’がゼロであることを期待するが、もしもＦＥ’がゼロでない場合、コントローラー２６がピックアップヘッド２８内部のセンサー２２の位置を変更してセンサー２２から反射光の最大信号エネルギーを獲得する。つまり、反射光の最大信号エネルギーを獲得した時、ＦＥ’がゼロとなる。従って、コントローラー２６は、図５のＳ曲線によりピックアップヘッド２８の位置を調整することができる。１つの安定した制御システムによって、このＦＥ’がゼロである点を収束点（ｃｏｎｖｅｒｇｅｎｃｅ　ｐｏｉｎｔ）とする。
【００３０】
図７（ｂ）において、エラー調整回路２４は、乗算器（ｍｕｌｔｉｐｌｉｅｒ）３４を備え、乗算器３４は２つの入力端を有して、第１入力端で（Ａ＋Ｂ）−（Ｃ＋Ｄ）を受信し、かつ第２入力端で（Ａ＋Ｄ）−（Ｂ＋Ｃ）を受信する。除算器３８は、２つの入力端を有し、第１入力端が乗算器３４の出力端に接続され、第２入力端が信号（Ａ＋Ｂ＋Ｃ＋Ｄ）を受信する。除算器３８の出力信号は、コレクター（ｃｏｒｒｅｃｔｏｒ）ｋを通過するが、コレクターｋの出力端は、加算器３６の入力端に接続されている。コレクターｋには、（７）式の成分π／４を含むことができる。各種の経路上の変更によって、数値ｋはπ／４により調整ならびに微調整することができる。例えば、これらの変数には、焦点のリム効果（ｒｉｍ　ｅｆｆｅｃｔ　これは従来技術）、センサー素子の異なる環境における同調性（ｕｎｉｆｏｒｍｉｔｙ）と非同調性（ｎｏｎ−ｕｎｉｆｏｒｍｉｔｙ）、またはその他の物理上の配慮を含むことができる。試験およびエラーレベルにより数値ｋを調整ならびに微調整する。
【００３１】
加算器３６の１つの入力端をマイナス値とすることができ、もう１つの入力端をプラス値とすることができる。ここでコレクターｋからの出力信号としてマイナス値を選択したので、ΔＦＥは、ＦＥから減算しなければならない。しかし、これはΔＦＥをＦＥに加算する操作と同じものに過ぎない（システムの設計と修正レベルとによって決まる）。
【００３２】
この発明は、アナログあるいはデジタル形式により実現することができ、例えば、信号Ａ，Ｂ，Ｃ，Ｄと、入力信号（Ａ＋Ｂ＋Ｃ＋Ｄ），（Ａ＋Ｂ）−（Ｃ＋Ｄ），（Ａ＋Ｄ）−（Ｂ＋Ｃ）は、アナログまたはデジタルあるいは混合形式で実現可能である。
【００３３】
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、この発明は、特許請求の範囲および、それと均等な領域を基準として定めなければならない。
【００３４】
【発明の効果】
上記構成により、この発明にかかる光記憶システムのフォーカス制御を改善する方法およびそれを実施する光記憶システムは、利用においてＣＤドライブ（例えばＣＤ−ＲまたはＣＤ−ＲＷドライブ）、ＤＶＤドライブ、ＣＤ−ＲＯＭＳ、ＤＶＤ−ＲＡＭＳおよびその他の公知の光ドライブに限定されるものではなく、反射光の焦点（おそらく楕円形状）のシフト中心を検出することにより、フォーカスエラーＦＥを補正（例えば調整）するものであり、図５のＳ曲線によりシフト値を計算して焦点の中心を調整し、光ディスクの読み出し表面上から最小焦点面積のものを得られるものであって、特に、この発明は、ΔＦＥを計算し、そのΔＦＥを使用して元のＦＥを調整あるいは修正し、フォーカスエラー調整信号ＦＥ’を得るものであるから、光記憶システムのコントローラーにより、このフォーカスエラー調整信号ＦＥ’をセンサー位置の修正に応用して、新しく、かつ正確なＦＥ信号を得ることができるものである。また、この発明は、従来技術の焦点脱離手続とは異なる方法でΔＦＥ値を計算するものであって、焦点の４つの扇形Ａ，Ｂ，Ｃ，Ｄ領域の面積関係を分析することによりΔＦＥの近似値を決定するものである。従って、産業上の利用価値が高い。
【図面の簡単な説明】
【図１】従来技術にかかる光記憶システムの主要な構成要素を示す構成図である。
【図２】反射光の完全な焦点を示す説明図である。
【図３】反射光の焦点にシフトまたは変形を発生した状況を示す説明図である。
【図４】同じく、反射光の焦点にシフトまたは変形を発生した状況を示す説明図である。
【図５】焦点制御に用いるフォーカスエラー信号のＳ曲線を示すグラフである。
【図６】焦点中心がシフトした４扇形Ａ，Ｂ，Ｃ，Ｄを示す説明図である。
【図７】（ａ）は、この発明にかかる好適な実施例を示す機能ブロック図であり、（ｂ）は、エラー調整回路を示す機能ブロック図である。
【符号の説明】
２４　エラー調整回路
２６　コントローラー
２８　ピックアップヘッド
３０　ロジック回路
３２　高周波数増幅器
３４　乗算器
３６　加算器
３８　除算器
【図１】
2004047058.tif 000012
【図２】
2004047058.tif 000013
【図３】
2004047058.tif 000014
【図４】
2004047058.tif 000015
【図５】
2004047058.tif 000016
【図６】
2004047058.tif 000017
【図７】
2004047058.tif 000018